(57)【要約】【課題】トラバースシャーシと駆動モータの間を挿通するリード配線を確実に固定可能な光ディスク装置を提供する。【解決手段】トレイ駆動手段が備える駆動モータ５をメインシャーシ２の一角に設け、該一角を挟むメインシャーシ２の一辺側に第一基板１１を配設し、他片側に第二基板１２を配設し、該第二基板１２と前記第一基板１１とに接続されるリード配線Ｗ１を有すると共に、駆動モータ５を設置するモータホルダ４のトラバースシャーシ３に対向する位置に立設壁４１を設け、この立設壁４１の、前記トラバースシャーシ３のエッジ部３１、および、前記駆動モータ５の駆動軸に装着するウォームギヤ７に接触しない高さ位置に、前記リード配線Ｗ１を挿通させる配線部を設けた構成とした。【選択図】図１
2011113584.tif 000002
【特許請求の範囲】
【請求項１】
メインシャーシと、該メインシャーシに対して往復移動して光ディスクを搬入および搬出するディスクトレイと、該ディスクトレイに載置された光ディスクを回転させるターンテーブルと光ピックアップを備えるトラバースシャーシと、前記ディスクトレイの前進後進移動を行うトレイ駆動手段と、を備える光ディスク装置において、
前記トレイ駆動手段が備える駆動モータを前記メインシャーシの一角に設け、該一角を挟む前記メインシャーシの一辺側に第一基板を配設し、他片側に第二基板を配設し、該第二基板と前記第一基板とに接続されるリード配線を有すると共に、
前記駆動モータを設置するモータホルダの前記トラバースシャーシに対向する位置に立設壁を設け、
前記立設壁の、前記トラバースシャーシのエッジ部、および、前記駆動モータの駆動軸に装着するウォームギヤに接触しない高さ位置に、前記リード配線を挿通させる配線部を設けたことを特徴とする光ディスク装置。
【請求項２】
前記配線部が、前記立設壁の上端部に形成された配線溝を備えることを特徴とする請求項１に記載の光ディスク装置。
【請求項３】
前記モータホルダを樹脂製とし、前記立設壁を、前記モータホルダと一体樹脂成型品としたことを特徴とする請求項１または２に記載の光ディスク装置。
【請求項４】
前記モータホルダに、前記配線部を挿通するリード配線を所定位置に規定する配線用フックをさらに備えたことを特徴とする請求項１から３のいずれかに記載の光ディスク装置。
【発明の詳細な説明】
【技術分野】
【０００１】
本発明は、光ディスクに記録された情報を再生、または光ディスクに対して情報の記録／再生を行う光ディスク装置に関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクの再生または記録を行う光ディスク装置においては、光ディスクの記録面に対し光ピックアップよりレーザー光を照射してデータの記録および読み出しを行っている。
【０００３】
また、この光ディスク装置の外装ハウジングのフロントパネルに設けられた出入り口から、光ディスクを載置収納するディスクトレイが入ったり（ローディング）、出たり（アンローディング）するようになっている。
【０００４】
ディスクトレイは、光ディスク装置の構成部品であるメインシャーシに往復移動自在に装着されており、ディスクトレイに載置された光ディスクを回転させるターンテーブルと光ピックアップを備えるトラバースシャーシが、このメインシャーシに対して、光ディスクの記録面に近接・離反する方向に傾動自在に装着されている。このように、光ディスク装置は、メインシャーシとディスクトレイとトラバースシャーシを備えている。また、駆動手段として、ディスクトレイの前進後進移動を行うトレイ駆動手段やディスク回転手段などを備えている。
【０００５】
トレイ駆動手段は、駆動モータの回転軸に装着されるウォームギヤからギヤ機構を介して、ディスクトレイの側部に設けられているラックを往復移動する。また、この駆動モータの回転駆動力を別に設けるギヤ機構を介して、トラバースシャーシを光ディスクの記録面に近接・離反する方向に傾動する。
【０００６】
このように、光ディスク装置は、その装置内部に駆動モータやその他のセンサスイッチなどの電装品が配設されており、装置内部の所定位置に基板やフレキシブルフラットケーブルやリード配線などが設置されている。また、リード配線を配線する近傍位置に、駆動モータの回転軸に装着されるウォームギヤや傾動移動するトラバースシャーシなどの動くものがある場合があり、これらの動くものに対してリード配線などが接触すると損傷する虞が生じる。
【０００７】
そのために、ディスク装置において、モータリード線をシャーシの側壁に設けるスリットを挿通させて固定するとしたリード線配線構造およびディスク装置（例えば、特許文献１参照）が既に出願されている。
【０００８】
また、フレキシブルフラットケーブルをトラバースシャーシに取り付ける際に、取付け面を傾斜面として、曲げ応力を緩和して断線を防止するとした光ディスク装置（例えば、特許文献２参照）が本出願人から既に出願されている。
【先行技術文献】
【特許文献】
【０００９】
【特許文献１】特開２００３−３１７４６０号公報
【特許文献２】特開２００９−８０９０７号公報
【発明の概要】
【発明が解決しようとする課題】
【００１０】
リード配線をシャーシの側壁に固定することで、側壁に対するリード配線の設置位置を明確に規定することができる。しかし、側壁部でなく、往復移動するトラバースシャーシと駆動モータの間にリード配線を挿通する場合には、この部分でのリード配線の固定を正確に行うことはできない。
【００１１】
また、傾動するトラバースシャーシのエッジ部分や回転する駆動モータの回転軸に装着されるウォームギヤなどとリード配線が接触すると、リード配線の皮膜が損傷してショートしたり断線したりする虞が生じる。
【００１２】
そのために、特に、トラバースシャーシと駆動モータの間を挿通するリード配線をシャーシの側壁部以外に確実に固定する構成の光ディスク装置が求められる。
【００１３】
本発明は、上記問題点に鑑み、トラバースシャーシと駆動モータの間を挿通するリード配線を確実に固定可能な光ディスク装置を提供することを目的とする。
【課題を解決するための手段】
【００１４】
上記目的を達成するために本発明は、メインシャーシと、該メインシャーシに対して往復移動して光ディスクを搬入および搬出するディスクトレイと、該ディスクトレイに載置された光ディスクを回転させるターンテーブルと光ピックアップを備えるトラバースシャーシと、前記ディスクトレイの前進後進移動を行うトレイ駆動手段と、を備える光ディスク装置において、前記トレイ駆動手段が備える駆動モータを前記メインシャーシの一角に設け、該一角を挟む前記メインシャーシの一辺側に第一基板を配設し、他片側に第二基板を配設し、該第二基板と前記第一基板とに接続されるリード配線を有すると共に、前記駆動モータを設置するモータホルダの前記トラバースシャーシに対向する位置に立設壁を設け、前記立設壁の、前記トラバースシャーシのエッジ部、および、前記駆動モータの駆動軸に装着するウォームギヤに接触しない高さ位置に、前記リード配線を挿通させる配線部を設けたことを特徴としている。
【００１５】
この構成によると、ディスクトレイに載置された光ディスクに近接・離反する方向に傾動するトラバースシャーシと駆動モータとの間にリード配線を配線する構成であっても、モータホルダに設ける立設壁の、トラバースシャーシのエッジ部とウォームギヤに接触しない高さ位置にリード配線を確実に固定する光ディスク装置を得ることができる。
【００１６】
また本発明は、上記構成の光ディスク装置において、前記配線部が、前記立設壁の上端部に形成された配線溝を備えることを特徴としている。この構成によると、立設壁の上端部に形成した配線溝にリード配線を挿通させてリード配線を固定可能となるので、リード配線の配線作業を容易に行うことができる。
【００１７】
また本発明は、上記構成の光ディスク装置において、前記モータホルダを樹脂製とし、前記立設壁を、前記モータホルダと一体樹脂成型品としたことを特徴としている。この構成によると、当初から採用しているモータホルダの成型形状を変更するだけでリード配線の固定が可能となるので、リード配線をトラバースシャーシと駆動モータの間で固定するための部品を新たに準備する必要がなくなり、部品点数を増加せずに、リード配線を確実に固定することができる。
【００１８】
また本発明は、上記構成の光ディスク装置において、前記モータホルダに、前記配線部を挿通するリード配線を所定位置に規定する配線用フックをさらに備えたことを特徴としている。この構成によると、モータホルダに設ける立設壁と配線用フックとの協働によりリード配線の第一基板と第二基板とに対する配線姿勢を確実に固定可能となる。
【発明の効果】
【００１９】
本発明によれば、ディスクトレイに載置された光ディスクに近接・離反する方向に傾動するトラバースシャーシと駆動モータとの間にリード配線を配線する構成であっても、モータホルダの所定高さ位置に配線部を備える立設壁を設けたので、トラバースシャーシのエッジ部とウォームギヤに接触しない高さ位置にリード配線を確実に固定する光ディスク装置を得ることができる。
【図面の簡単な説明】
【００２０】
【図１】本発明に係る光ディスク装置のリード配線の概略説明図である。
【図２】本発明に係る光ディスク装置の要部拡大図である。
【図３】本発明に係る光ディスク装置の要部構成を示す概略底面図である。
【発明を実施するための形態】
【００２１】
以下に本発明の実施形態を図面を参照して説明する。また、同一構成部材については同一の符号を用い、詳細な説明は適宜省略する。
【００２２】
まず、図３を用いて本実施形態の光ディスク装置の要部構成について説明する。本実施形態に係る光ディスク装置１は、光ピックアップを用いて光ディスクにレーザー光を照射してデータの記録又は再生を行う装置であり、図に示すように、メインシャーシ２と、該メインシャーシ２に対して往復移動して光ディスクを搬入および搬出するディスクトレイ（不図示）と、該ディスクトレイに載置された光ディスクを回転させるターンテーブル１９と光ピックアップ１３を備えるトラバースシャーシ３と、前記ディスクトレイの前進後進移動を行うトレイ駆動手段などを備えている。
【００２３】
光ピックアップ１３は、ガイド軸１４、１５に沿って駆動軸１６を介してターンテーブル１９に向けて接近・離反可能とされている。また、トラバースシャーシ３は、ゴムダンパを備える取付部１７、１８を介して、ターンテーブル１９が光ディスクの記録面に近接・離反する方向に傾動自在にメインシャーシ２に装着されている。
【００２４】
そのために、光ディスク挿入（ローディング）時には、ターンテーブル１９を光ディスクから離反させるようにトラバースシャーシ３を傾動させておき、光ディスク挿入後にターンテーブル１９を光ディスクに接近させるようにトラバースシャーシ３を傾動して、ターンテーブル１９と光ディスクの上方に設置するクランパ（不図示）と協働して光ディスクを挟持し、挟持した後、ターンテーブル１９を回転駆動して光ディスクを回転することができる。
【００２５】
また、回転中の光ディスクに対して、光ピックアップ１３を走行移動して光ピックアップ１３からレーザー光を照射してデータの記録又は再生を行う。光ディスクの取り出し（アンローディング）の際には、光ピックアップ１３を初期位置に移動し、ターンテーブル１９を退避位置に戻すようにトラバースシャーシ３を傾動し、その後、ディスクトレイを装置から突出させて、載置されている光ディスクを取り出す。
【００２６】
光ディスクの搬入と搬出を行うディスクトレイのトレイ駆動手段は、駆動モータ５と、この駆動モータ５の回転軸６に装着されたウォームギヤ７と、該ウォームギヤ７からギヤ８、９を介して回転駆動力をディスクトレイに設けられたラックを往復移動するギヤ機構を備える。
【００２７】
また、駆動モータ５はメインシャーシ２にモータホルダ４を介して設置される。また、メインシャーシ２には、第一基板１１と第二基板１２とが設けられている。例えば、第一基板１１には、駆動モータ５に接続されるリード配線Ｗ２とトラバースシャーシ３に設置する電装部品に電気的に接続するためのリード配線Ｗ３とフレキシブルフラットケーブルＦＦが配線され、第二基板１２には、例えば、光ディスクをローディングしたことやディスクトレイの位置を検知する検知手段などに電気的に接続するためのリード配線Ｗ１が配線される。
【００２８】
リード配線Ｗ１は、図示するように、トラバースシャーシ３と駆動モータ５の間を挿通するように配線されている。この際にトラバースシャーシ３は前述したように、光ディスクに近接・離反する方向に傾動しているので、このトラバースシャーシ３のエッジ部と、リード配線Ｗ１が接触すると、配線の皮膜が損傷してショートや断線の原因となって好ましくない。
【００２９】
また、駆動モータ５の回転軸６に装着されているウォームギヤ７がリード配線Ｗ１と接触しても、配線の皮膜が損傷してショートや断線の原因となって好ましくない。そのために、傾動するトラバースシャーシ３とウォームギヤ７が装着される駆動モータ５との間にリード配線Ｗ１を配線する構成であっても、トラバースシャーシ３のエッジ部３１（図２参照）とウォームギヤ７に接触しない位置にリード配線Ｗ１を確実に固定する構成であることが好ましい。
【００３０】
次に、図１および図２を用いて、本実施形態に係るリード配線Ｗ１の固定状態について説明する。
【００３１】
図２に示すように、メインシャーシ２の一角に駆動モータ５が設置され、この一角を挟むメインシャーシ２の一辺側に第一基板１１が他片側に第二基板１２が配設されている。駆動モータ５はメインシャーシ２の設置するモータホルダ４に固定される。また、モータホルダ４は、駆動モータ５に装着されるウォームギヤ７とギヤ接続されるギヤ８、および、該ギヤ８とギヤ接続されるギヤ９を一体的に装着可能な立体的な形状の硬質の樹脂成型品とされていて、例えば、メインシャーシ２の開口部２ａを介して、メインシャーシ２の一面側に設置する駆動モータ５から、メインシャーシの他面側（ディスクトレイが配設されている側に相当）に位置するギヤ８を含むギヤ機構に駆動力を伝達する。
【００３２】
本実施形態では、図１に示すように、第一基板１１の接続端子１１ａと第二基板１２の接続端子１２ａとをリード配線Ｗ１を用いて電気的に接続している。つまり、トラバースシャーシ３と駆動モータ５との間にリード配線Ｗ１を配線する構成である。そのために、リード配線Ｗ１が損傷しない安全な位置に固定できるように、モータホルダ４のトラバースシャーシ３と対向する面に、立設壁４１を設け、この立設壁４１の所定の高さ位置に配線部を設ける構成としている。
【００３３】
所定の高さ位置とは、トラバースシャーシ３のエッジ部３１、および、駆動モータ５の駆動軸に装着するウォームギヤ７に接触しない程度の高さ位置であって、この高さ位置に、リード配線Ｗ１を保持する配線部を設けることで、トラバースシャーシ３のエッジ部３１とウォームギヤ７に接触しない高さ位置にリード配線Ｗ１を確実に固定する光ディスク装置を得ることができる。
【００３４】
配線部は、リード配線Ｗ１を所定位置に保持、または、固定する形状であればよい。本実施形態では、立設壁４１の上端部に配線溝４２、４３を備える配線部を設ける構成とした。この構成であれば、立設壁４１の上端部に形成した配線溝４２、４３にリード配線Ｗ１を挿通させてリード配線Ｗ１を確実に固定可能な配線部を形成するので、リード配線Ｗ１を安全な位置に固定する配線作業を容易に行うことができる。
【００３５】
この際に、配線経路の屈曲度の大きな部分を滑らかに面取りするとリード配線Ｗ１を引っ張って配線作業しても、皮膜を損傷しないので好ましい。そのために、本実施形態では、第二基板１２に対向する部分に、円柱状の円いガイド部４４を設ける構成としている。
【００３６】
また、配線部の高さ位置を、配線溝４２、４３に挿通されるリード配線Ｗ１が、トラバースシャーシ３のエッジ部３１に接触せず、ウォームギヤ７に接触しない高さとすると、傾動移動するエッジ部や回転するギヤ部に明らかに接触しない構成となって好ましい。
【００３７】
そのために、配線溝４２の底面高さを上昇する方向に傾動したトラバースシャーシ３のエッジ部３１より高さＨ１高い位置とした。また、この高さは、ウォームギヤ７よりもＨ２高い位置としている。
【００３８】
また、モータホルダ４に新たな立設壁４１を設けた構成は、モータホルダ４の枠強度をさらに強化する効果を発するので、駆動力を伝達するためのギヤ８およびギヤ９を一体的に組み付ける枠部材にとって好適となる。
【００３９】
このように、トレイ駆動手段が備える駆動モータ５をメインシャーシ２の一角に設け、該一角を挟むメインシャーシ２の一辺側に第一基板１１を配設し、他片側に第二基板１２を配設し、該第二基板１２と前記第一基板１１とに接続されるリード配線Ｗ１を有すると共に、駆動モータ５を設置するモータホルダ４のトラバースシャーシ３に対向する位置に立設壁４１を設け、この立設壁４１の、トラバースシャーシ３のエッジ部３１、および、駆動モータ５の駆動軸６に装着するウォームギヤ７に接触しない高さ位置に、リード配線Ｗ１を挿通させる配線部を設けたので、リード配線Ｗ１をトラバースシャーシ３のエッジ部３１とウォームギヤ７に接触しない位置に確実に固定することができる。
【００４０】
また、モータホルダ４に、前記配線部を挿通するリード配線Ｗ１を所定位置に規定する配線用フック４５をさらに備えた構成としてもよい。配線用フック４５は、リード配線Ｗ１を係止するフック部を備える形状であればよく、特にその形状は限定されない。配線用フック４５を備える構成であれば、モータホルダ４に設ける立設壁４１と配線用フック４５との協働によりリード配線Ｗ１の第一基板１１と第二基板１２とに対する配線姿勢を確実に固定可能となる。
【００４１】
つまり、立設壁４１に設けるガイド部４４により、第二基板１２の接続端子１２ａに接続するリード配線Ｗ１の姿勢を規定し、配線用フック４５により、第一基板１１の接続端子１１ａに接続するリード配線Ｗ１の姿勢を規定し強固に固定することができる。また、配線溝４２、４３を介して、トラバースシャーシ３とウォームギヤ７との間の配線姿勢を確実に固定することができる。
【００４２】
また、モータホルダ４を樹脂製とし、立設壁４１もモータホルダ４と一体の樹脂成型品とすることができる。この構成であれば、当初から採用しているモータホルダ４の成型形状を変更するだけでリード配線Ｗ１の固定が可能となるので、リード配線Ｗ１をトラバースシャーシ３と駆動モータ５の間で固定するための部品を新たに準備する必要がなくなり、部品点数を増加せずに、リード配線Ｗ１を確実に固定することができる。
【００４３】
配線用フック４５も勿論モータホルダ４と一体の樹脂成型品とすることができる。このように樹脂製であれば、ホルダ本体部から突出しているフック部が弾性変形可能であるので、リード配線Ｗ１の配線操作の際に、フック部を弾性的に変形させて係止することができ、配線作業を容易に、また、確実に行うことができる。
【００４４】
上記したように、本発明に係る光ディスク装置によれば、モータホルダの所定高さ位置に配線部を備える立設壁を設けたので、トラバースシャーシのエッジ部とウォームギヤに接触しない高さ位置にリード配線を確実に固定する光ディスク装置を得ることができる。
【００４５】
さらに、配線部となる配線溝を有する立設壁を一体的に備える樹脂成型品のモータホルダとしているので、リード配線を固定するための新たな部品が不要となり、部品コストの増加を抑制することができる。
【００４６】
また、ディスクトレイの前進・後進移動を行うギヤ機構に駆動力を伝達するギヤを一体的に装着する構成のモータホルダの枠強度を強化することもできる。
【産業上の利用可能性】
【００４７】
そのために、本発明に係る光ディスク装置は、ＤＶＤプレーヤやＤＶＤレコーダなどにおいて、傾動するトラバースシャーシと回転するウォームギヤとの間に配線部を形成する際に、配線するリード配線を安全に固定したい光ディスク装置に好適に適用することができる。
【符号の説明】
【００４８】
１    光ディスク装置
２    メインシャーシ
３    トラバースシャーシ
４    モータホルダ
５    駆動モータ
７    ウォームギヤ
８、９    ギヤ
１１    第一基板
１２    第二基板
１３    光ピックアップ
１９    ターンテーブル
４１    立設壁
４２    配線溝
４４    ガイド部
４５    配線用フック
Ｗ１    リード配線
【図１】
2011113584.tif 000003
【図２】
2011113584.tif 000004
【図３】
2011113584.tif 000005